(57)【要約】【課題】プラスチック等の硬質物品の硬質表面に付着した、固体脂を含む油汚れの洗浄力に優れる、洗浄剤組成物及びそれに用いられる洗浄用界面活性剤の提供。【解決手段】（ａ）成分として、下記一般式（ａ１）で表される界面活性剤を含有する、食器用洗浄剤組成物。【化１】2017214554.tif 000013〔式中、Ｒ１ａ、Ｒ２ａは、それぞれ独立して、１つ以上の側鎖を有する、鎖式分岐炭化水素基であり、鎖式分岐炭化水素基の総炭素数が７以上２２以下であり、側鎖を構成する炭素数の合計が３以上７以下である。Ａ１、Ａ２はそれぞれ独立に炭素数２以上４以下のアルキレン基、ｘ、ｙは平均付加モル数であり、それぞれ独立に０以上６以下である。Ｍ１は水素原子又は陽イオンである。〕【選択図】なし【特許請求の範囲】
【請求項１】
（ａ）成分として、下記一般式（ａ１）で表される界面活性剤を含有する、食器用洗浄剤組成物。
【化１】
2017214554.tif 000011
〔式中、Ｒ１ａ、Ｒ２ａは、それぞれ独立して、１つ以上の側鎖を有する、鎖式分岐炭化水素基であり、鎖式分岐炭化水素基の総炭素数が７以上２２以下であり、側鎖を構成する炭素数の合計が３以上７以下である。Ａ１、Ａ２はそれぞれ独立に炭素数２以上４以下のアルキレン基、ｘ、ｙは平均付加モル数であり、それぞれ独立に０以上６以下である。Ｍ１は水素原子又は陽イオンである。〕
【請求項２】
Ｒ１ａ、Ｒ２ａの主鎖の炭素数が、それぞれ独立して、４以上１９以下である、請求項１記載の食器用洗浄剤組成物。
【請求項３】
Ｒ１ａ、Ｒ２ａの側鎖の数が、それぞれ独立して、１以上６以下である、請求項１又は２に記載の食器用洗浄剤組成物。
【請求項４】
Ｒ１ａ、Ｒ２ａが有する分岐炭素の数が、それぞれ独立して、１以上６以下である、請求項１〜３の何れか１項記載の食器用洗浄剤組成物。
【請求項５】
Ｒ１ａ、Ｒ２ａが、それぞれ独立して、トリメチルペンチル基、トリメチルヘキシル基、トリメチルヘプチル基、トリメチルオクチル基、メチルエチルペンチル基、メチルエチルヘキシル基、メチルエチルヘプチル基、メチルエチルオクチル基、ジメチルエチルブチル基、ジメチルエチルペンチル基、ジメチルエチルヘキシル基、ジメチルエチルヘプチル基、ジメチルエチルオクチル基、プロピルペンチル基、プロピルヘキシル基、プロピルヘプチル基、プロピルオクチル基、ブチルペンチル基、ブチルヘキシル基、ブチルヘプチル基、ブチルオクチル基、１−（２−メチルプロピル）−３−メチルブチル基、１−（３−メチルブチル）−４−メチルペンチル基、１−（４−メチルペンチル）−５−メチルヘキシル基、ペンチルヘキシル基、及びヘキシルドデシル基から選ばれる１種以上である、請求項１〜４の何れか１項記載の食器用洗浄剤組成物。
【請求項６】
請求項１〜５の何れか１項記載の食器用洗浄剤組成物で食器を洗浄する、食器の洗浄方法。
【請求項７】
下記一般式（ａ１）で表される、食器洗浄用界面活性剤。
【化２】
2017214554.tif 000012
〔式中、Ｒ１ａ、Ｒ２ａは、それぞれ独立して、１つ以上の側鎖を有する、鎖式分岐炭化水素基であり、鎖式分岐炭化水素基の総炭素数が７以上２２以下であり、側鎖を構成する炭素数の合計が３以上７以下である。Ａ１、Ａ２はそれぞれ独立に炭素数２以上４以下のアルキレン基、ｘ、ｙは平均付加モル数であり、それぞれ独立に０以上６以下である。Ｍ１は水素原子又は陽イオンである。〕
【発明の詳細な説明】
【技術分野】
【０００１】
本発明は、洗浄剤組成物及びそれに用いられる洗浄用界面活性剤に関する。とりわけ、本発明は、食器用洗浄剤組成物及びそれに用いられる食器洗浄用界面活性剤に関する。
【背景技術】
【０００２】
硬質表面上の油汚れを除去することは、硬質表面洗浄剤に強く求められている性能の一つである。特に疎水性表面上の油汚れは落としづらく、洗浄剤の使用者はこれを落とすために、多大な機械力を用いること、温水の利用、洗浄剤の継足しなどを行っている。使用者や環境への負荷を低減するためにも、より低機械力での洗浄、より低温での洗浄、総合的な活性剤の排出量がより低減できるような界面活性剤、又は洗浄剤の開発が求められている。
【０００３】
これに対し、アルキル鎖に分岐鎖を有する界面活性剤、又はその界面活性剤を含有する洗浄剤が知られている（例えば特許文献１〜３）。
特許文献１は、冷硬水中でのグリース除去を課題とし、鎖末端付近分岐型化合物及びそれらの誘導体の新規混合物と、これらの混合物を含有する洗浄組成物を開示している。
特許文献２は、比較的低い温度において、疎水性表面を有する食器類や調理器具等に、強く付着した油汚れである液体油および固体脂に対する洗浄力を両立する手洗い用食器洗浄剤を提供することを課題として、スルホコハク酸アルキルエステル又はその塩、特定の陰イオン界面活性剤、スルホベタイン型界面活性剤を、特定量比用いた、手洗い用食器洗浄剤組成物を開示している。
特許文献３は、低い使用温度での洗浄力や、耐硬水性を課題として、アルキル長鎖中間鎖分岐界面活性剤化合物を少なくとも０．５重量％含む、洗剤界面活性剤組成物を開示している。
【先行技術文献】
【特許文献】
【０００４】
【特許文献１】特表２０１３−５３２７３６号公報
【特許文献２】特開２０１３−１００４６１号公報
【特許文献３】特表２０００−５０３７００号公報
【発明の概要】
【発明が解決しようとする課題】
【０００５】
しかしながら、特許文献１〜３に記載の洗浄剤では、固体脂を含む油汚れの洗浄性において、まだ十分とは言えない。
本発明は、プラスチック等の硬質物品の硬質表面、とりわけ食器に付着した、固体脂を含む油汚れの洗浄力に優れる、洗浄剤組成物及びそれに用いられる洗浄用界面活性剤に関する。
【課題を解決するための手段】
【０００６】
かかる課題に対し、本発明者らは、特定の分岐構造を有するスルホコハク酸型界面活性剤が、固体脂を含む油汚れの洗浄性能に優れることを見出した。
すなわち、本発明は、（ａ）成分として、下記一般式（ａ１）で表される界面活性剤を含有する、洗浄剤組成物に関する。
【０００７】
【化１】
2017214554.tif 000002
【０００８】
〔式中、Ｒ１ａ、Ｒ２ａは、それぞれ独立して、１つ以上の側鎖を有する、鎖式分岐炭化水素基であり、鎖式分岐炭化水素基の総炭素数が７以上２２以下であり、側鎖を構成する炭素数の合計が３以上７以下である。Ａ１、Ａ２はそれぞれ独立に炭素数２以上４以下のアルキレン基、ｘ、ｙは平均付加モル数でありそれぞれ独立に０以上６以下である。Ｍ１は水素原子又は陽イオンである。〕
【０００９】
また、本発明は、上記洗浄剤組成物で、硬質表面を洗浄する硬質表面の洗浄方法に関する。
【００１０】
本発明の洗浄剤組成物として、（ａ）成分として、前記一般式（ａ１）で表される界面活性剤を含有する、食器用洗浄剤組成物が挙げられる。
【００１１】
本発明の洗浄方法として、上記食器用洗浄剤組成物で食器を洗浄する、食器の洗浄方法が挙げられる。
【００１２】
また、本発明は、下記一般式（ａ１）で表される、洗浄用界面活性剤に関する。
【００１３】
【化２】
2017214554.tif 000003
【００１４】
〔式中、Ｒ１ａ、Ｒ２ａは、それぞれ独立して、１つ以上の側鎖を有する、鎖式分岐炭化水素基であり、鎖式分岐炭化水素基の総炭素数が７以上２２以下であり、側鎖を構成する炭素数の合計が３以上７以下である。Ａ１、Ａ２はそれぞれ独立に炭素数２以上４以下のアルキレン基、ｘ、ｙは平均付加モル数でありそれぞれ独立に０以上６以下である。Ｍ１は水素原子又は陽イオンである。〕
【００１５】
また、本発明は、前記一般式（ａ１）で表される、食器洗浄用界面活性剤に関する。
【発明の効果】
【００１６】
本発明によれば、プラスチック等の硬質物品の硬質表面、とりわけ食器表面に付着した、固体脂を含む油汚れの洗浄力に優れる、洗浄剤組成物及びそれに用いられる洗浄用界面活性剤を提供することができる。
本発明の洗浄剤組成物は、プラスチック等の硬質表面を有する物品、とりわけ食器に付着した、固体脂を含む油汚れを、スポンジ等の可撓性材料を用いて擦らずとも、すなわち機械力をかけずとも、洗浄することが可能である。
【発明を実施するための形態】
【００１７】
＜洗浄剤組成物＞
本発明の洗浄剤組成物は、機械力を用いずとも十分な洗浄力が得られるが、これは、本発明の洗浄剤組成物に用いられるスルホコハク酸ジアルキルエステルが、特定の側鎖を有する、鎖式炭化水素構造を有しており、該構造を介して、スルホコハク酸ジアルキルエステルが固体脂に吸着し易くなることで、固体脂の剥離が容易となり、その結果、洗浄力の向上効果が得られたものと推定される。
なお、本明細書で示す「油汚れ」とは、２５℃において液体油及び固体脂の混合物による汚れである。液体油は、好ましくは植物性原料に由来する油分を含有している物質を挙げることができる。また、固体脂は、牛脂、豚肉、及び／又は鶏肉などの動物性原料に由来する油分及び脂質を含有している物質を挙げることができる。更には、これらの油汚れが任意の割合で混合していても良い。
また、本発明の洗浄剤組成物は、以下において、硬質表面を食器に置き換えた洗浄剤組成物を含む。
【００１８】
＜（ａ）成分＞
本発明に用いられる（ａ）成分は、下記一般式（ａ１）で表される界面活性剤であり、これはスルホコハク酸エステル又はその塩の化合物である。
また（ａ）成分は、洗浄用界面活性剤であり、洗浄剤である。
【００１９】
【化３】
2017214554.tif 000004
【００２０】
〔式中、Ｒ１ａ、Ｒ２ａは、それぞれ独立して、１つ以上の側鎖を有する、鎖式分岐炭化水素基であり、鎖式分岐炭化水素基の総炭素数が７以上２２以下であり、側鎖を構成する炭素数の合計が３以上７以下である。Ａ１、Ａ２はそれぞれ独立に炭素数２以上４以下のアルキレン基、ｘ、ｙは平均付加モル数でありそれぞれ独立に０以上６以下である。Ｍ１は水素原子又は陽イオンである。〕
【００２１】
Ｒ１ａ、Ｒ２ａの炭素数は、同一あるいは異なっていてもよく、固体脂の洗浄力（以下、単に洗浄力ともいう）の観点から、７以上、好ましくは８以上、より好ましくは９以上、そして、同様の観点から、２２以下、好ましくは１８以下、より好ましくは１５以下、更に好ましくは１２以下、より更に好ましくは１１以下、より更に好ましくは１０以下である。
鎖式分岐炭化水素基は、アルキル基であってもよく、アルケニル基であってもよいが、洗浄力の観点から、アルキル基が好ましい。本発明においては、第２級アルコールから水酸基を除去した炭化水素残基を、鎖式分岐炭化水素基に含める。
【００２２】
本発明において、Ｒ１ａ、Ｒ２ａの鎖式分岐炭化水素基のうち、酸素原子に結合している炭素原子から数えて炭素数が最も大きい炭化水素鎖を主鎖とし、主鎖から分岐して結合している炭化水素鎖を側鎖とする。
主鎖が２つ以上考えられる場合、即ち炭素数が最も大きい炭化水素鎖（以下、最長炭化水素鎖ともいう）が２つ以上ある場合、下記の順序で主鎖を決める。
１．最長炭化水素鎖から分岐する側鎖の炭素原子数が大きい方を主鎖とする。
２．次に、最長炭化水素鎖から分岐する側鎖の炭素原子数が同じである場合は、最長炭化水素鎖から分岐する側鎖の数が多い方を主鎖とする。
３．次に、最長炭化水素鎖から分岐する側鎖の数が同じである場合は、酸素原子に結合している炭素原子から数えて、酸素原子により近い炭素原子に側鎖を有する方を主鎖とする。
４．次に、酸素原子に最も近い、側鎖を有する炭素原子の位置が同じ場合は、酸素原子に最も近い側鎖の炭素原子数が多い方を主鎖とする。
なお、２つ以上の最長炭化水素鎖が、同一の対称構造を有する場合は、どちらを主鎖としてもよい。
【００２３】
Ｒ１ａ、Ｒ２ａの主鎖の炭素数は、同一あるいは異なっていてもよく、洗浄力の観点から、好ましくは４以上、より好ましくは５以上、更に好ましくは６以上、そして、好ましくは１９以下、より好ましくは１５以下、更に好ましくは１２以下、より更に好ましくは９以下、より更に好ましくは８以下、より更に好ましくは７以下、より更に好ましくは６以下である。なお、主鎖の炭素数に、側鎖の炭素数は含まれない。
【００２４】
Ｒ１ａ、Ｒ２ａの側鎖を構成する炭素数の合計は、同一あるいは異なっていてもよく、洗浄力の観点から、３以上、好ましくは４以上、そして、同様の観点から、７以下、好ましくは６以下、より好ましくは５以下、更に好ましくは４以下である。
本発明において、側鎖を構成する炭素数の合計とは、主鎖以外の全側鎖の炭素数を合計したものであり、側鎖が複数ある場合は、それら全側鎖の炭素数の合計である。
【００２５】
Ｒ１ａ、Ｒ２ａの側鎖の数は、同一あるいは異なっていてもよく、洗浄力の観点から、１以上、そして、同様の観点から、好ましくは６以下、より好ましくは５以下、更に好ましくは４以下、より更に好ましくは３以下、より更に好ましくは２以下である。
本発明において、側鎖の数とは、主鎖から分岐する側鎖の数であり、側鎖が、更に当該側鎖から分岐する側鎖を有していても側鎖の数としては変わらない。但し、洗浄力の観点から、側鎖が更に当該側鎖から分岐する側鎖を有していてもよい。
【００２６】
Ｒ１ａ、Ｒ２ａの分岐炭素の数は、同一あるいは異なっていてもよく、洗浄力の観点から、好ましくは１以上、そして、好ましくは６以下、より好ましくは５以下、更に好ましくは４以下、より更に好ましくは３以下、より更に好ましくは２以下である。
本発明において、分岐炭素の数とは、鎖式分岐炭化水素基中の第３級炭素原子と第４級炭素原子の数の合計である。
【００２７】
Ｒ１ａ、Ｒ２ａの好ましい態様は、Ｒ１ａ、Ｒ２ａの鎖式分岐炭化水素基の総炭素数が、それぞれ独立して、７以上１２以下、主鎖の炭素数が、それぞれ独立して、４以上８以下、側鎖を構成する炭素数が、それぞれ独立して、３以上６以下、側鎖の数が、それぞれ独立して、１以上３以下、分岐炭素の数が、それぞれ独立して、１以上３以下が好ましい。
【００２８】
Ｒ１ａ、Ｒ２ａの具体的な鎖式分岐炭化水素基は、それぞれ同一あるいは異なっていてもよく、トリメチルペンチル基、トリメチルヘキシル基、トリメチルヘプチル基、トリメチルオクチル基、メチルエチルペンチル基、メチルエチルヘキシル基、メチルエチルヘプチル基、メチルエチルオクチル基、ジメチルエチルブチル基、ジメチルエチルペンチル基、ジメチルエチルヘキシル基、ジメチルエチルヘプチル基、ジメチルエチルオクチル基、プロピルペンチル基、プロピルヘキシル基、プロピルヘプチル基、プロピルオクチル基、ブチルペンチル基、ブチルヘキシル基、ブチルヘプチル基、ブチルオクチル基、１−（２−メチルプロピル）−３−メチルブチル基、１−（３−メチルブチル）−４−メチルペンチル基、１−（４−メチルペンチル）−５−メチルヘキシル基、ペンチルヘキシル基、及びヘキシルドデシル基から選ばれる１種以上が挙げられ、洗浄力の観点から、３−メチル−５,５−ジメチルヘキシル基（３,５,５−トリメチルヘキシル基）、２−プロピルペンチル基、２−プロピルヘキシル基、２−ヘキシルドデシル基、１−ブチルヘキシル基、１−ブチルペンチル基、１−（２−メチルプロピル）−３−メチルブチル基、１−エチル−２−メチルペンチル基、及び１−メチル−１−エチル−２−メチルブチル基から選ばれる１種以上が好ましく、３−メチル−５,５−ジメチルヘキシル基（３,５,５−トリメチルヘキシル基）、１−ブチルヘキシル基、１−ブチルペンチル基、１−（２−メチルプロピル）−３−メチルブチル基、及び２−プロピルペンチル基から選ばれる１種以上がより好ましく、１−ブチルヘキシル基が更に好ましい。
また、側鎖が全てメチル基である場合は、主鎖の末端がジメチル基を有することが洗浄力の観点から好ましい。
【００２９】
一般式（ａ１）中、Ａ1、Ａ2は、それぞれ独立に、炭素数２以上、そして、炭素数４以下、好ましくは３以下のアルキレン基である。
一般式（ａ１）中、ｘ、ｙは、平均付加モル数であり、洗浄力の観点から、それぞれ独立に、０以上、そして、６以下、好ましくは４以下、より好ましくは２以下であり、更に好ましくは０である。
また、ｘ＋ｙは、洗浄力の観点から、好ましくは０以上、そして、好ましくは１２以下、より好ましくは６以下、更に好ましくは３以下、より更に好ましくは０である。
【００３０】
一般式（ａ１）中、Ｍ1は、水素イオン、あるいはナトリウムイオン、アンモニウムイオン、カリウムイオン、マグネシウムイオン等の無機陽イオン、モノエタノールアンモニウムイオン、ジエタノールアンモニウムイオン、トリエタノールアンモニウムイオン、モルホリニウムイオン等の有機陽イオンであり、好ましくはナトリウムイオン、アンモニウムイオン、カリウムイオン及びマグネシウムイオンから選ばれる無機陽イオンである。
【００３１】
一般式（ａ１）中、Ｒ１ａ、Ｒ２ａが同一の化合物の調製方法としては、特に限定されるものではないが、例えば米国特許明細書第２，０２８，０９１号公報に記載の方法を参考にして製造することができ、また、Ｒ１ａ、Ｒ２ａが異なる非対称の化合物の調製方法としては、例えば特開昭５８−２４５５５号公報を参考にして製造することができる。（ａ）成分の原料として、所定炭素数のアルコールにアルキレンオキシドを付加したものを用いることもできる。
本発明の（ａ）成分の製造に用いられる好適なアルコールとしては、
（１）３,５,５−トリメチルヘキサン−１−オール、２−プロピルヘキサン−１−オール、２−ヘキシル−１−ドデカノールなどに代表される第1級アルコール、
（２）５−ノナノール、２,６−ジメチル−４−ヘプタノール、４−メチル−３−ヘプタノール、８−ヘキサデカノールなどに代表される第２級アルコール
（３）３,４−ジメチル−３−ヘキサノール、３,７−ジメチルオクタ−１,６−ジエン−３−オール、３−エチル−２,２,４−トリメチル−３−ヘキサノールなどに代表される第３級アルコールである。
【００３２】
本発明の洗浄剤組成物は、特に油汚れに対する洗浄力が高い（ａ）成分を含有することにより、低い温度、低い機械力、低い濃度で、特に硬質表面に付着した油汚れに対して、高い洗浄性能を提供できる。
本発明の洗浄剤組成物は、（ａ）成分を、洗浄力の観点から、好ましくは０．０１質量％以上、より好ましくは０．1質量％以上、更に好ましくは０．３質量％以上、より更に好ましくは０．５質量％以上、より更に好ましくは０．８質量％以上、より更に好ましくは１質量％以上、そして、原料コストを低減する観点から、好ましくは３０質量％以下、より好ましくは２０質量％以下、更に好ましくは１５質量％以下、より更に好ましくは１０質量％以下、より更に好ましくは８質量％以下、より更に好ましくは５質量％以下、より更に好ましくは３質量％以下、より更に好ましくは２質量％以下、含有する。
なお、本発明では、（ａ）成分に係る質量に関する記述（質量％や質量比）は、Ｍ１をナトリウムと仮定したときの質量（ナトリウム塩換算での比率）に基づくものとする。
【００３３】
＜（ｂ）成分＞
本発明の洗浄剤組成物には、（ｂ）成分として、任意ではあるが、両性界面活性剤又はアミンオキサイド型界面活性剤を含有しても良い。両性界面活性剤とアミンオキサイド型界面活性剤はどちらか一方のみを含有してもよく、どちらも含有しても良い。両性界面活性剤は、特に限定されるものではないがスルホベタイン、ヒドロキシスルホベタイン、カルボベタイン型界面活性剤などが挙げられる。両性界面活性剤やアミンオキサイド型界面活性剤は、（ａ）成分と併用することで油汚れの洗浄性能向上に寄与する。
【００３４】
本発明の洗浄剤組成物は、（ｂ）成分を、洗浄力の観点から、好ましくは０．０１質量％以上、より好ましくは０．０５質量％以上、更に好ましくは０．１質量％以上、そして、好ましくは３０質量％以下、より好ましくは１５質量％以下、更に好ましくは１０質量％以下、含有する。
【００３５】
本発明の洗浄剤組成物において、（ｂ）成分の含有量と、（ａ）成分の含有量との質量比（ｂ）／（ａ）は、洗浄力の観点から、好ましくは０以上、そして、同様の観点から、好ましくは１０以下、より好ましくは８以下、更に好ましくは５以下、より更に好ましくは３以下、より更に好ましくは１以下である。
【００３６】
＜（ｃ）成分＞
本発明の洗浄剤組成物には、（ｃ）成分として、任意ではあるが、塩を含有しても良い。塩は、特に限定されるものではないが、金属イオンとハロゲン化物イオンで形成される無機塩、乳酸やクエン酸などの有機塩などが挙げられる。塩は（ａ）成分と併用することで油汚れの洗浄性能向上に寄与する。更に両性界面活性剤やアミンオキサイド型界面活性剤と塩を併用してもよい。
【００３７】
本発明の洗浄剤組成物は、（ｃ）成分を、洗浄力の観点から、好ましくは０．００１質量％以上、より好ましくは０．０１質量％以上、更に好ましくは０．１質量％以上、そして、好ましくは１０質量％以下、より好ましくは５質量％以下、含有する。
【００３８】
＜（ｄ）成分＞
本発明の洗浄剤組成物には、（ｄ）成分として、任意ではあるが、貯蔵安定性を向上させる目的で、ハイドロトロープ剤を含有しても良い。（ｄ）成分としては、トルエンスルホン酸、キシレンスルホン酸、クメンスルホン酸又はこれらのナトリウム塩、カリウム塩あるいはマグネシウム塩が良好であり、特にｐ−トルエンスルホン酸又はその塩が良好である。
【００３９】
本発明の洗浄剤組成物は、（ｄ）成分を、貯蔵安定性の観点から、好ましくは０．５質量％以上、より好ましくは１質量％以上、更に好ましくは１．５質量％以上、そして、好ましくは１５質量％以下、より好ましくは１０質量％以下、更に好ましくは５質量％以下、含有する。
【００４０】
＜（ｅ）成分＞
本発明の洗浄剤組成物には、（ｅ）成分として、任意ではあるが、貯蔵安定性の改善や粘度調節の目的で、溶剤を含有しても良い。（ｅ）成分は、貯蔵安定性を改善する観点から、好ましくは炭素数２以上、より好ましくは炭素数３以上、そして、炭素数１０以下、好ましくは炭素数８以下の水溶性有機溶剤が好適である。
【００４１】
（ｅ）成分の具体的例としては、エタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテル、３−メチル−３−メトキシブタノール、フェノキシエタノール、フェニルグリコール、フェノキシイソプロパノール、ブチルジグリコール（ジエチレングリコールモノブチルエーテル）、ジブチレンジグリコール及びベンジルアルコールから選ばれる１種以上の水溶性有機溶剤が好ましい。なかでも、ブチルジグリコール、エタノール及びプロピレングリコールから選ばれる１種以上の水溶性有機溶剤がより好ましく、エタノール及びプロピレングリコールから選ばれる１種以上の水溶性有機溶剤が更に好ましい。
ここで、水溶性有機溶剤とは、オクタノール／水分配係数（ＬｏｇＰｏｗ）が３．５以下の溶剤を指すものとする。
【００４２】
本発明の洗浄剤組成物は、（ｅ）成分を、貯蔵安定性及び粘度調節の観点から、好ましくは３質量％以上、より好ましくは５質量％以上、更に好ましくは１０質量％以上、そして、好ましくは３０質量％以下、より好ましくは２０質量％以下、更に好ましくは１５質量％以下、含有する。
【００４３】
＜水＞
本発明の洗浄剤組成物は、液体洗浄剤組成物が好ましく、水を含有することが好ましい。すなわち、前記（ａ）成分及び任意成分以外の残部が水である。
本発明の洗浄剤組成物は、水を、好ましくは３０質量％以上、より好ましくは５０質量％以上、更に好ましくは６０質量％以上、より更に好ましくは７０質量％以上、より更に好ましくは８０質量％以上、より更に好ましくは９０質量％以上、そして、好ましくは９９．８質量％以下、より好ましくは９９．５質量％以下、更に好ましくは９９．２質量％以下含有する。
水は脱イオン水や蒸留水、或いは次亜塩素酸を０．５〜１０ｐｐｍ程度溶解させた次亜塩素酸滅菌水などを使用することができる。
【００４４】
本発明の洗浄剤組成物において、固形分の含有量は、洗浄力の観点から、好ましくは０．１質量％以上、より好ましくは０．３質量％以上、更に好ましくは０．５質量％以上、より更に好ましくは０．８質量％以上、より更に好ましくは１質量％以上、そして、コストを削減する観点から、好ましくは３０質量％以下、より好ましくは２０質量％以下、更に好ましくは１０質量％以下、より更に好ましくは５質量％以下、より更に好ましくは３質量％以下である。
ここで、固形分とは、前記（ａ）〜（ｅ）成分及びその他の任意成分、すなわち水以外の成分である。
【００４５】
本発明の洗浄剤組成物の形態は、液状、ゲル状、ワックス状等、適宜選択できるが、上記成分を水に溶解／分散／乳化させた液状が好ましく、水溶液がより好ましい。
【００４６】
本発明の洗浄剤組成物の２５℃におけるｐＨは、手へのマイルド性の観点から、好ましくは２以上、より好ましくは４以上、更に好ましくは５以上、そして、好ましくは１０以下、より好ましくは９以下、更に好ましくは８以下である。
【００４７】
本発明の洗浄剤組成物の２０℃における粘度は、好ましくは０．５ｍＰａ・ｓ以上、より好ましくは１ｍＰａ・ｓ以上、そして、好ましくは２００ｍＰａ・ｓ以下、より好ましくは１００ｍＰａ・ｓ以下、更に好ましくは５０ｍＰａ・ｓ以下、より更に好ましくは２０ｍＰａ・ｓ以下、より更に好ましくは１０ｍＰａ・ｓ以下、より更に好ましくは７ｍＰａ・ｓ以下、より更に好ましくは５ｍＰａ・ｓ以下である。粘度は溶剤やハイドロトロープ剤などで調整することができる。
【００４８】
本発明の洗浄剤組成物は、硬質物品の硬質表面用であることが好ましく、金属表面、ガラス表面、セラミック表面、樹脂表面などの硬質表面に付着した油汚れに対して、洗浄液を塗布等により適用後、一定時間放置後に、水ですすぎを行う、洗浄方法に使用できる。
例えば、本発明の洗浄剤組成物を添加した水浴中に、洗浄対象を浸漬させ、１秒〜１時間程度放置した後に、水ですすぐことで、油汚れの除去を行うことができる。浸漬している最中に、特に限定されるものではないが、撹拌、振盪などの機械力や、ブラシ、スポンジなどの一般的に洗浄に用いられる道具を用いて機械力を適応してもよい。
【００４９】
本発明の洗浄剤組成物は、硬質物品の硬質表面用、更に食器又は台所周りの硬質物品の硬質表面用、更に食器用、更に食器の硬質表面用であることが好ましい。また、硬質物品の硬質表面の手洗い洗浄用、更に食器又は台所周りの硬質物品の硬質表面の手洗い洗浄用、更に食器の手洗い洗浄用、更に食器の硬質表面の手洗い洗浄用であることが好ましい。
具体的には、本発明の洗浄剤組成物は、好ましくは硬質物品の硬質表面への塗布用洗浄剤、より好ましくは食器又は台所周りの硬質物品の硬質表面への塗布用洗浄剤、更に好ましくは食器への塗布用洗浄剤、より更に好ましくは食器の硬質表面への塗布用洗浄剤である。
また、具体的には、本発明の洗浄剤組成物は、好ましくは硬質物品の硬質表面への噴霧用洗浄剤、より好ましくは食器又は台所周りの硬質物品の硬質表面への噴霧用洗浄剤、更に好ましくは食器への噴霧用洗浄剤、より更に好ましくは食器の硬質表面への噴霧用洗浄剤である。
【００５０】
硬質物品としては、パイプ、部品等の食品製造機器、台所周りの硬質物品、食器等が挙げられ、本発明の洗浄剤組成物は、固体脂の洗浄性に優れることから、硬質物品、好ましくは食器及び台所周りの硬質物品、より好ましくは食器を洗浄対象とする。
台所周りの硬質物品は、台所の周辺で使用される物品であり、具体的には、
（１）冷蔵庫、食器棚などの食品、食器、調理器具の保存場所、
（２）排水溝、調理台、レンジフード、シンク、ガスレンジ、電子レンジなどの食品の調理場所、及び
（３）その周辺の床や壁等
である。本発明では、これらを便宜上「台所周りの硬質物品」とする。
また、食器としては、具体的には、
（ｉ）皿、椀等のいわゆる食器、
（ii）タッパー、瓶等の保存容器、
（iii）包丁やまな板、鍋、フライパン、魚焼きグリル等の調理器具、
（iv）フードプロセッサー、ミキサー等の調理家電等
の食材が接触する部材や器具が挙げられる。本発明では、これらを便宜上「食器」とする。
また、本発明の洗浄剤組成物は、食器、保存容器、調理器具、及び調理家電から選ばれる物品用であることが好ましく、更に皿、椀、タッパー、ビン、包丁、まな板、鍋、フライパン、魚焼きグリル、フードプロセッサー、及びミキサーから選ばれる物品用であることがより好ましい。
また、本発明の洗浄対象である硬質表面、更に食器及び台所周りの硬質表面、更に食器の硬質表面の材質は、プラスチック（シリコーン樹脂などを含む）、金属、陶器、木、及びそれらの組み合わせが挙げられる。
【００５１】
＜硬質表面の洗浄方法＞
本発明の硬質表面の洗浄方法は、前記洗浄剤組成物で硬質表面、例えば食器を洗浄する、好ましくは前記洗浄剤組成物を硬質表面に接触させて洗浄する、硬質表面の洗浄方法である。この洗浄方法は、以下において、硬質表面を食器に置き換えた洗浄方法を含む。
すなわち、本発明の硬質表面の洗浄方法では、本発明の洗浄剤組成物を用いる。該組成物の好ましい態様は、前記した本発明の洗浄剤組成物と同じである。
より具体的には、前記洗浄剤組成物を、原液で、硬質表面に接触させる、又は洗浄剤組成物を、原液で、希釈せずに硬質表面に接触させる、つまり、前記洗浄剤組成物を、希釈することなく、硬質表面に接触させる洗浄方法が挙げられる。
前記洗浄剤組成物を希釈せずに硬質表面に接触させるとは、該洗浄剤組成物を、意図的に水などで希釈した後、硬質表面と接触させないことである。例えば、前記洗浄剤組成物を水滴等が付着した硬質表面と接触させたり、前記洗浄剤組成物を硬質表面に接触させた後、硬質表面に水滴が付着したりする場合は、前記洗浄剤組成物を希釈せずに、硬質表面に接触させると理解できる。
本発明の硬質表面の洗浄方法は、前記本発明の洗浄剤組成物を、油汚れが付着した硬質表面、更に固体脂を含む油汚れが付着した硬質表面に接触させる、硬質表面の洗浄方法として好適に実施できる。
固体脂を含む油汚れは、油脂を含んだ汚れであって、この油脂が常温（例えば２０℃）で固体を呈するものである。固体脂を含む油汚れは、典型的には固体脂を含む油汚れ、更に固体脂と液体油とを含む油汚れである。前記洗浄剤組成物を接触させるときの固体脂を含む油汚れの形態は、固体脂と液体油とが混在した状態であってもよい。
【００５２】
また、本発明の硬質表面の洗浄方法は、前記洗浄剤組成物を、硬質表面に接触させた後、機械力をかけず（付与せず）に放置する洗浄方法が挙げられる。つまり、スポンジ等の可撓性材料や手指等を用いることなく接触させ、機械力をかけずにそのまま放置する洗浄方法が挙げられる。この方法は、手や道具の届かない部位や届きにくい細部の洗浄に好適である。
機械力をかけずに放置するとは、例えば、組成物の接触以外に、洗浄のための意図的な操作を行わないことである。例えば、接触させた組成物が硬質表面を自然に流下することや、洗浄を意図しない振動が硬質表面に伝わることなどは、機械力をかけずに放置すると理解できる。一方、例えば、硬質表面を擦り洗いする方法や、硬質表面に組成物を含む水流を適用して洗浄する方法、組成物を含む洗浄媒体に硬質表面を浸漬し撹拌して洗浄する方法などは、機械力をかけて硬質表面を洗浄していると理解できる。
なお、放置した後は、通常、水ですすぎ、すすぐ際は、手などで機械力（物理的力）を掛けてもよく、単に水流ですすいでもよい。
【００５３】
本発明の硬質表面の洗浄方法では、前記洗浄剤組成物を、対象物である硬質表面の面積１００ｃｍ２に対して、好ましくは０．１ｇ以上、より好ましくは０．３ｇ以上、更に好ましくは０．４ｇ以上、そして、好ましくは５ｇ以下、より好ましくは３ｇ以下、更に好ましくは２ｇ以下の割合で接触させる、更に、塗布又は噴霧することが好ましい。
【００５４】
本発明の硬質表面の洗浄方法では、洗浄力を高める観点から、前記洗浄剤組成物を硬質表面に接触後、好ましくは１０秒以上、より好ましくは２０秒以上、更に好ましくは３０秒以上、より更に好ましくは４０秒以上、より更に好ましくは５０秒以上、より更に好ましくは１分以上、さらに好ましくは１．５分以上、そして、同様の観点から、好ましくは６０分以下、より好ましくは３０分以下、更に好ましくは２０分以下、より更に好ましくは１０分以下、放置する。この場合、最初に前記組成物が硬質表面に接触した時点を放置の開始とする。
なお、放置する際の温度は、室温でよく、例えば、１０℃以上３０℃以下が挙げられる。
【００５５】
また、本発明の硬質表面の洗浄方法では、洗浄力を高める観点から、好ましくは１０秒以上、より好ましくは２０秒以上、更に好ましくは３０秒以上、より更に好ましくは４０秒以上、より更に好ましくは５０秒以上、より更に好ましくは１分以上、さらに好ましくは１．５分以上、そして、同様の観点から、好ましくは６０分以下、より好ましくは３０分以下、更に好ましくは２０分以下、より更に好ましくは１０分以下、前記洗浄剤組成物と洗浄対象である硬質表面とを接触させる。
【００５６】
本発明の硬質表面の洗浄方法では、前記洗浄剤組成物を、油汚れ等が付着した硬質表面を該組成物中に浸漬させて接触させてもよいが、効率的に洗浄力を高める観点から、噴霧又は塗布して、油汚れ等が付着した硬質表面に接触させる方法が好ましい。
前記洗浄剤組成物を、油汚れ等が付着した硬質表面に接触させる方法は、噴霧又は塗布が好ましく、液滴状にして噴霧する又は泡状にして塗布する方法が好ましい。具体的には、スプレー手段を用いる。すなわち本発明の洗浄剤組成物を、スプレイヤーを具備する容器に充填してなる硬質表面用洗浄剤物品を用いるのが好ましい。本発明は、本発明の洗浄剤組成物を、スプレイヤーを具備する容器に充填してなる、スプレー容器入り硬質表面用洗浄剤物品を提供する。
【００５７】
本発明のスプレー容器入り硬質表面用洗浄剤物品における本発明の洗浄剤組成物を充填するスプレイヤーを具備する容器は、トリガー式スプレー容器、ポンプ式スプレー容器等の噴射剤を使用しない手動式スプレー装置、噴射剤を用いるエアゾール等が挙げられる。前記スプレイヤーを具備する容器は、内容物を液滴状又は泡状にして噴霧又は塗布することができるトリガー式スプレーが好ましく、内容物を液滴状に噴霧する機構を備えたトリガー式スプレー又は泡を形成する機構（泡形成機構）を備えたトリガー式スプレーがより好ましい。
【００５８】
本発明のスプレー容器入り硬質表面用洗浄剤物品において、液滴状に本発明の洗浄剤組成物を噴霧する機構を備えたトリガー式スプレーを用いる場合、前記組成物を入れるスプレー容器の噴射ノズルの噴口径は、スプレーのし易さや、噴射された液滴が荒くなく、直線状にスプレーされず、スプレーできる面積が極端に狭くならないために、好ましくは０．１ｍｍ以上、より好ましくは０．３ｍｍ以上、そして、好ましくは２ｍｍ以下、より好ましくは１ｍｍ以下の範囲である。
液滴状に噴霧する機構を備えたトリガー式スプレーを用いる場合、本発明のスプレー容器入り硬質表面用洗浄剤物品は、１回の操作で、好ましくは０．１ｍＬ以上、より好ましくは０．３ｍＬ以上、そして、好ましくは５ｍＬ以下、より好ましくは２ｍＬ以下の組成物を噴霧する。
【００５９】
また本発明のスプレー容器入り硬質表面用洗浄剤物品において、泡形成機構を備えたトリガー式スプレーを用いる場合、好ましくはスピンエレメント及び直径４〜８ｍｍの円形状の空間部分に棒状の突起を数個設置された液体通過板を有するものが好適である。ここでスピンエレメントとは、スピンエレメントを通じて液状物の流れにスピンを与え、最後にノズルから噴出する機構であり、その詳細な構造としては特開平８−３３２４２２号公報や特開平８−１０８１０２号公報の図４（ｂ）、特開２００２−６８２６５号公報の図１などを参考にすることができる。
【００６０】
泡形成機構を備えたトリガー式スプレーを用いる場合、本発明のスプレー容器入り硬質表面用洗浄剤物品は、１回の操作で、好ましくは０．５ｍＬ以上、より好ましくは１ｍＬ以上、そして、好ましくは３０ｍＬ以下、より好ましくは１５ｍＬ以下、更に好ましくは５ｍＬ以下の組成物を噴霧する。
【００６１】
泡形成機構のもう一つの部材である液体通過板は、直径５〜７ｍｍの円形状の空間部分に棒状の突起を好ましくは３〜８個設置されたものであり、通過する板を平面で見た場合に、好ましくは幅０．８〜１．２ｍｍ、長さ２〜４ｍｍの長方形状の棒状の突起が好適である。また、棒状の突起を除いた空間部分に対する棒状の突起の占める面積は、好ましくは３０面積％以上、より好ましくは４０面積％以上、そして、好ましくは９０面積％以下、より好ましくは８０面積％以下、更に好ましくは７０面積％以下であり、このような液体通過板を設置することで、垂直表面への泡の付着滞留性が良好になる。
【００６２】
本発明のスプレー容器入り硬質表面用洗浄剤物品の容器は、一般に使用されている容器を用いることができる。例えば、ポリエチレンやポリプロピレン、ポリエチレンテレフタレートを原料として得られるものであり、ブロー成形などによって製造することができる。容器の肉厚は底面と側面と異なってもよく、０．０１〜２ｍｍが好ましく、容器の容量は１００〜１０００ｍＬが好ましい。容器に充填される本発明の洗浄剤組成物の量は、取り扱い上、２００〜５００ｍＬが望ましい。また液の充填は、常識的な空隙を残して行われる。
【００６３】
本発明の硬質表面の洗浄方法は、硬質物品の硬質表面、更に食器及び台所周りの硬質物品の硬質表面、更に食器の硬質表面の洗浄方法として好ましい。また、硬質物品の硬質表面の手洗い洗浄方法、更に食器及び台所周りの硬質物品の硬質表面の手洗い洗浄方法、更に食器の手洗い洗浄方法、より更に食器の硬質表面の手洗い洗浄方法として好ましい。
【００６４】
本発明の硬質表面の洗浄方法は、硬質物品の硬質表面、好ましくは食器及び台所周りの硬質物品の硬質表面、より好ましくは食器、更に好ましくは食器の硬質表面を洗浄対象とする。
食器及び台所周りの硬質物品は、前述のものが挙げられる。
また、本発明の硬質表面の洗浄方法は、食器、保存容器、調理器具、及び調理家電から選ばれる物品の硬質表面を対象とすることが好ましく、更に皿、椀、タッパー、ビン、包丁、まな板、鍋、フライパン、魚焼きグリル、フードプロセッサー、及びミキサーから選ばれる物品の硬質表面を対象とすることがより好ましい。
本発明の硬質表面の洗浄方法の対象とする硬質表面の材質は、プラスチック（シリコーン樹脂などを含む）、金属、陶器、木、及びそれらの組み合わせが挙げられる。
そして、本発明の硬質表面の洗浄方法は、これら硬質表面に付着した固体脂を含む油汚れを効果的に洗浄することができる。
【００６５】
本発明の硬質表面の洗浄方法では、本発明の洗浄剤組成物を直接硬質表面に接触させる。そして、前記組成物が接触した状態で放置すればよいため、洗浄時において、スポンジ等の可撓性材料による擦り洗いのような機械力をかける作業を必要としない。
そのため、本発明の硬質表面の洗浄方法は、
（１）食品製造機器、冷蔵庫、食器棚などのパイプ、部品及び排水溝、水筒、タンブラー、やかん、ポット等の手洗い洗浄が不便な硬質物品、
（２）食品、食器、調理器具の保存場所、調理台、レンジフード、シンク、ガスレンジ、電子レンジなどの食品の調理場所及びその周辺の床や壁等の台所周り等の固体脂を含む油汚れが広範に及ぶ硬質表面を有する物品、
（３）包丁、ピーラー、おろし金、スライサー、ジューサーの羽根、フードプロセッサーの羽根等の手洗い洗浄に危険が伴う物品、及び
（４）形状が複雑な部分を具備する物品
といった、スポンジ等の可撓性材料を用いた洗浄が困難な物品等にも適用することができる。尚、必要により、擦り洗いを行ってもよい。
さらに、本発明の硬質表面の洗浄方法は、本発明の洗浄剤組成物を、好ましくは泡状の前記組成物を、硬質表面に塗布してそのまま放置するため、硬質表面に前記組成物を長く留めることができる。
本発明の硬質表面の洗浄方法は、前記洗浄剤組成物を接触させた硬質表面を、水で濯ぐ工程、好ましくは前記洗浄剤組成物を接触させた硬質表面を、放置後、水で濯ぐ工程を含むことができる。
【００６６】
＜洗浄用界面活性剤＞
本発明は、下記一般式（ａ１）で表される、洗浄用界面活性剤、好ましくは食器洗浄用界面活性剤である。
即ち、下記一般式（ａ１）で表される界面活性剤の、洗浄剤としての使用、好ましくは食器用洗浄剤としての使用である。
【００６７】
【化４】
2017214554.tif 000005
【００６８】
〔式中、Ｒ１ａ、Ｒ２ａは、それぞれ独立して、１つ以上の側鎖を有する、鎖式分岐炭化水素基であり、鎖式分岐炭化水素基の総炭素数が７以上２２以下であり、側鎖を構成する炭素数の合計が３以上７以下である。Ａ１、Ａ２はそれぞれ独立に炭素数２以上４以下のアルキレン基、ｘ、ｙは平均付加モル数でありそれぞれ独立に０以上６以下である。Ｍ１は水素原子又は陽イオンである。〕
【００６９】
一般式（ａ１）中、Ｒ１ａ、Ｒ２ａ、Ａ１、Ａ２、ｘ、ｙ、Ｍ１の好ましい範囲は、前述の通りである。また、洗浄用としての好ましい態様も前述の通りである。
【００７０】
上述した実施形態に関し、本発明はさらに以下の洗浄剤組成物、硬質表面の洗浄方法、スプレー容器入り硬質表面用洗浄剤物品、及び洗浄用界面活性剤及び使用を開示する。これらの態様には、本発明の洗浄剤組成物、硬質表面の洗浄方法、スプレー容器入り硬質表面用洗浄剤物品、洗浄用界面活性剤、及びで述べた事項を、相互に適宜適用することができる。また、これらの態様には、硬質表面を食器に置き換えた態様を含む。
【００７１】
＜１＞
（ａ）成分として、下記一般式（ａ１）で表される界面活性剤を含有する、洗浄剤組成物。
【化５】
2017214554.tif 000006
〔式中、Ｒ１ａ、Ｒ２ａは、それぞれ独立して、１つ以上の側鎖を有する、鎖式分岐炭化水素基であり、鎖式分岐炭化水素基の総炭素数が７以上２２以下であり、側鎖を構成する炭素数の合計が３以上７以下である。Ａ１、Ａ２はそれぞれ独立に炭素数２以上４以下のアルキレン基、ｘ、ｙは平均付加モル数でありそれぞれ独立に０以上６以下である。Ｍ１は水素原子又は陽イオンである。〕
【００７２】
＜２＞
Ｒ１ａ、Ｒ２ａの炭素数が、それぞれ独立して、８以上、好ましくは９以上、そして、１８以下、好ましくは１５以下、より好ましくは１２以下、更に好ましくは１１以下、より更に好ましくは１０以下である、前記＜１＞に記載の洗浄剤組成物。
【００７３】
＜３＞
Ｒ１ａ、Ｒ２ａの主鎖の炭素数が、それぞれ独立して、４以上、好ましくは５以上、より好ましくは６以上、そして、１９以下、好ましくは１５以下、より好ましくは１２以下、更に好ましくは９以下、より更に好ましくは８以下、より更に好ましくは７以下、より更に好ましくは６以下である、前記＜１＞又は＜２＞に記載の洗浄剤組成物。
【００７４】
＜４＞
Ｒ１ａ、Ｒ２ａの側鎖を構成する炭素数の合計が、それぞれ独立して、４以上、そして、６以下、好ましくは５以下、より好ましくは４以下である、前記＜１＞〜＜３＞の何れかに記載の洗浄剤組成物。
【００７５】
＜５＞
Ｒ１ａ、Ｒ２ａの側鎖の数が、それぞれ独立して、１以上、そして、６以下、好ましくは５以下、より好ましくは４以下、更に好ましくは３以下、より更に好ましくは２以下である、前記＜１＞〜＜４＞の何れかに記載の洗浄剤組成物。
【００７６】
＜６＞
Ｒ１ａ、Ｒ２ａの分岐炭素の数は、それぞれ独立して、１以上、そして、６以下、好ましくは５以下、より好ましくは４以下、更に好ましくは３以下、より更に好ましくは２以下である、前記＜１＞〜＜５＞の何れかに記載の洗浄剤組成物。
【００７７】
＜７＞
Ｒ１ａ、Ｒ２ａが、それぞれ独立して、トリメチルペンチル基、トリメチルヘキシル基、トリメチルヘプチル基、トリメチルオクチル基、メチルエチルペンチル基、メチルエチルヘキシル基、メチルエチルヘプチル基、メチルエチルオクチル基、ジメチルエチルブチル基、ジメチルエチルペンチル基、ジメチルエチルヘキシル基、ジメチルエチルヘプチル基、ジメチルエチルオクチル基、プロピルペンチル基、プロピルヘキシル基、プロピルヘプチル基、プロピルオクチル基、ブチルペンチル基、ブチルヘキシル基、ブチルヘプチル基、ブチルオクチル基、１−（２−メチルプロピル）−３−メチルブチル基、１−（３−メチルブチル）−４−メチルペンチル基、１−（４−メチルペンチル）−５−メチルヘキシル基、ペンチルヘキシル基、及びヘキシルドデシル基から選ばれる１種以上である、好ましくは３−メチル−５,５−ジメチルヘキシル基（３,５,５−トリメチルヘキシル基）、２−プロピルペンチル基、２−プロピルヘキシル基、２−ヘキシルドデシル基、１−ブチルヘキシル基、１−ブチルペンチル基、１−（２−メチルプロピル）−３−メチルブチル基、１−エチル−２−メチルペンチル基、及び１−メチル−１−エチル−２−メチルブチル基から選ばれる１種以上である、より好ましくは３−メチル−５,５−ジメチルヘキシル基（３,５,５−トリメチルヘキシル基）、１−ブチルヘキシル基、１−ブチルペンチル基、１−（２−メチルプロピル）−３−メチルブチル基、及び２−プロピルペンチル基から選ばれる１種以上である、更に好ましくは１−ブチルヘキシル基である、前記＜１＞〜＜６＞の何れか１項記載の洗浄剤組成物。
【００７８】
＜８＞
Ａ１、Ａ２が、それぞれ独立に、炭素数２以上３以下のアルキレン基である、前記＜１＞〜＜７＞の何れかに記載の洗浄剤組成物。
【００７９】
＜９＞
ｘ、ｙが、それぞれ独立に、４以下、好ましくは２以下、より好ましくは０である、前記＜１＞〜＜８＞の何れかに記載の洗浄剤組成物。
【００８０】
＜１０＞
ｘ＋ｙが、０以上、そして、１２以下、好ましくは６以下、より好ましくは３以下、更に好ましくは０である、前記＜１＞〜＜９＞の何れかに記載の洗浄剤組成物。
【００８１】
＜１１＞
Ｍ１が、水素原子、無機陽イオン又は有機陽イオンである、好ましくは水素原子、ナトリウムイオン、アンモニウムイオン、カリウムイオン、及びマグネシウムイオンから選ばれる無機陽イオン、又はモノエタノールアンモニウムイオン、ジエタノールアンモニウムイオン、トリエタノールアンモニウムイオン、及びモルホリニウムイオンから選ばれる有機陽イオンである、より好ましくはナトリウムイオン、アンモニウムイオン、カリウムイオン及びマグネシウムイオンから選ばれる無機陽イオンである、前記＜１＞〜＜１０＞の何れかに記載の洗浄剤組成物。
【００８２】
＜１２＞
（ａ）成分を、０．０１質量％以上、好ましくは０．1質量％以上、より好ましくは０．３質量％以上、更に好ましくは０．５質量％以上、より更に好ましくは０．８質量％以上、より更に好ましくは１質量％以上、そして、３０質量％以下、好ましくは２０質量％以下、より好ましくは１５質量％以下、更に好ましくは１０質量％以下、より更に好ましくは８質量％以下、より更に好ましくは５質量％以下、より更に好ましくは３質量％以下、より更に好ましくは２質量％以下含有する、前記＜１＞〜＜１１＞の何れかに記載の洗浄剤組成物。
【００８３】
＜１３＞
（ｂ）成分として、両性界面活性剤又はアミンオキサイド型界面活性剤を含有する、前記＜１＞〜＜１２＞の何れかに記載の洗浄剤組成物。
【００８４】
＜１４＞
（ｂ）成分が、両性界面活性剤である、前記＜１３＞に記載の洗浄剤組成物。
【００８５】
＜１５＞
（ｂ）成分が、スルホベタイン、ヒドロキシスルホベタイン及びカルボベタインから選ばれる１種以上の両性界面活性剤である、前記＜１４＞に記載の洗浄剤組成物。
【００８６】
＜１６＞
（ｂ）成分を、０．０１質量％以上、好ましくは０．０５質量％以上、より好ましくは０．１質量％以上、そして、３０質量％以下、好ましくは１５質量％以下、より好ましくは１０質量％以下含有する、前記＜１３＞〜＜１５＞の何れかに記載の洗浄剤組成物。
【００８７】
＜１７＞
（ｃ）成分として、塩を含有する、前記＜１＞〜＜１６＞の何れかに記載の洗浄剤組成物。
【００８８】
＜１８＞
（ｃ）成分を、０．００１質量％以上、好ましくは０．０１質量％以上、より好ましくは０．１質量％以上、そして、１０質量％以下、好ましくは５質量％以下含有する、前記＜１７＞に記載の洗浄剤組成物。
【００８９】
＜１９＞
（ｄ）成分として、ハイドロトロープ剤を含有する、前記＜１＞〜＜１８＞の何れかに記載の洗浄剤組成物。
【００９０】
＜２０＞
（ｄ）成分が、トルエンスルホン酸、キシレンスルホン酸、クメンスルホン酸又はこれらのナトリウム塩、カリウム塩あるいはマグネシウム塩である、好ましくはｐ−トルエンスルホン酸又はそのナトリウム塩、カリウム塩あるいはマグネシウム塩である、前記＜１９＞に記載の洗浄剤組成物。
【００９１】
＜２１＞
（ｄ）成分を、０．５質量％以上、好ましくは１質量％以上、より好ましくは１．５質量％以上、そして、１５質量％以下、好ましくは１０質量％以下、より好ましくは５質量％以下含有する、前記＜１９＞又は＜２０＞に記載の洗浄剤組成物。
【００９２】
＜２２＞
（ｅ）成分として、溶剤を含有する、前記＜１＞〜＜２１＞の何れかに記載の洗浄剤組成物。
【００９３】
＜２３＞
（ｅ）成分が、炭素数２以上、好ましくは炭素数３以上、そして、炭素数１０以下、好ましくは炭素数８以下の水溶性有機溶剤である、前記＜２２＞に記載の洗浄剤組成物。
【００９４】
＜２４＞
（ｅ）成分が、エタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテル、３−メチル−３−メトキシブタノール、フェノキシエタノール、フェニルグリコール、フェノキシイソプロパノール、ブチルジグリコール（ジエチレングリコールモノブチルエーテル）、ジブチレンジグリコール及びベンジルアルコールから選ばれる１種以上の水溶性有機溶剤である、好ましくはブチルジグリコール、エタノール及びプロピレングリコールから選ばれる１種以上の水溶性有機溶剤である、より好ましくはエタノール及びプロピレングリコールから選ばれる１種以上の水溶性有機溶剤である、前記＜２２＞又は＜２３＞に記載の洗浄剤組成物。
【００９５】
＜２５＞
（ｅ）成分を、３質量％以上、より好ましくは５質量％以上、更に好ましくは１０質量％以上、そして、好ましくは３０質量％以下、より好ましくは２０質量％以下、更に好ましくは１５質量％以下含有する、前記＜２２＞〜＜２４＞の何れかに記載の洗浄剤組成物。
【００９６】
＜２６＞
水を含有する、前記＜１＞〜＜２５＞の何れかに記載の洗浄剤組成物。
【００９７】
＜２７＞
水を、３０質量％以上、好ましくは５０質量％以上、より好ましくは６０質量％以上、更に好ましくは７０質量％以上、より更に好ましくは８０質量％以上、より更に好ましくは９０質量％以上、そして、９９．８質量％以下、好ましくは９９．５質量％以下、より好ましくは９９．２質量％以下含有する、前記＜２６＞に記載の洗浄剤組成物。
【００９８】
＜２８＞
固形分の含有量が、０．１質量％以上、好ましくは０．３質量％以上、より好ましくは０．５質量％以上、更に好ましくは０．８質量％以上、より更に好ましくは１質量％以上、そして、３０質量％以下、好ましくは２０質量％以下、より好ましくは１０質量％以下、更に好ましくは５質量％以下、より更に好ましくは３質量％以下である、前記＜１＞〜＜２７＞の何れかに記載の洗浄剤組成物。
【００９９】
＜２９＞
２５℃におけるｐＨが、２以上、好ましくは４以上、より好ましくは５以上、そして、１０以下、好ましくは９以下、より好ましくは８以下である、前記＜１＞〜＜２８＞の何れかに記載の洗浄剤組成物。
【０１００】
＜３０＞
２０℃における粘度が、０．５ｍＰａ・ｓ以上、好ましくは１ｍＰａ・ｓ以上、そして、２００ｍＰａ・ｓ以下、好ましくは１００ｍＰａ・ｓ以下、より好ましくは５０ｍＰａ・ｓ以下、更に好ましくは２０ｍＰａ・ｓ以下、より更に好ましくは１０ｍＰａ・ｓ以下、より更に好ましくは７ｍＰａ・ｓ以下、より更に好ましくは５ｍＰａ・ｓ以下である、前記＜１＞〜＜２９＞の何れかに記載の洗浄剤組成物。
【０１０１】
＜３１＞
硬質物品の硬質表面用、好ましくは食器又は台所周りの硬質物品の硬質表面用、より好ましくは食器用、更に好ましくは食器の硬質表面用である、前記＜１＞〜＜３０＞の何れかに記載の洗浄剤組成物。
【０１０２】
＜３２＞
硬質物品の硬質表面の手洗い洗浄用、好ましくは食器又は台所周りの硬質物品の硬質表面の手洗い洗浄用、より好ましくは食器の手洗い洗浄用である、更に好ましくは食器の硬質表面の手洗い洗浄用である、前記＜１＞〜＜３０＞の何れかに記載の洗浄剤組成物。
【０１０３】
＜３３＞
硬質物品の硬質表面への塗布用洗浄剤、好ましくは食器又は台所周りの硬質物品の硬質表面への塗布用洗浄剤、より好ましくは食器への塗布用洗浄剤、更に好ましくは食器の硬質表面への塗布用洗浄剤である、前記＜１＞〜＜３０＞の何れかに記載の洗浄剤組成物。
【０１０４】
＜３４＞
硬質物品の硬質表面への噴霧用洗浄剤、好ましくは食器又は台所周りの硬質物品の硬質表面への噴霧用洗浄剤、より好ましくは食器への噴霧用洗浄剤である、更に好ましくは食器の硬質表面への噴霧用洗浄剤である、前記＜１＞〜＜３０＞の何れかに記載の洗浄剤組成物。
【０１０５】
＜３５＞
希釈せずに、硬質表面、好ましくは食器及び台所周りの硬質物品から選ばれる硬質表面、より好ましくは食器に、直接接触させて用いる、前記＜１＞〜＜３０＞の何れかに記載の洗浄剤組成物。
【０１０６】
＜３６＞
硬質物品、好ましくはパイプ、部品等の食品製造機器、食器及び台所周りの硬質物品から選ばれる硬質物品、より好ましくは食器及び台所周りの硬質物品から選ばれる硬質物品、更に好ましくは食器を洗浄対象とする、又は、
冷蔵庫、食器棚などの食品、食器、調理器具の保存場所、排水溝、調理台、レンジフード、シンク、ガスレンジ、電子レンジなどの食品の調理場所、及びその周辺の床や壁を洗浄対象とする、又は、
食器、好ましくは皿、椀等のいわゆる食器、タッパー、瓶等の保存容器、包丁やまな板、鍋、フライパン、魚焼きグリル等の調理器具、及びフードプロセッサー、ミキサー等の調理家電を洗浄対象とする、前記＜３１＞〜＜３５＞の何れかに記載の洗浄剤組成物。
【０１０７】
＜３７＞
硬質表面の材質が、プラスチック、金属、陶器、木、及びそれらの組み合わせである、前記＜３１＞〜＜３６＞の何れかに記載の洗浄剤組成物。
【０１０８】
＜３８＞
前記＜１＞〜＜３７＞の何れかの洗浄剤組成物で硬質表面を洗浄する、好ましくは前記洗浄剤組成物を硬質表面に接触させて洗浄する、硬質表面の洗浄方法。
【０１０９】
＜３９＞
前記洗浄剤組成物を、原液で、硬質表面に接触させる、前記＜３８＞に記載の硬質表面の洗浄方法。
【０１１０】
＜４０＞
前記洗浄剤組成物を、希釈せずに硬質表面に接触させる、前記＜３８＞又は＜３９＞に記載の硬質表面の洗浄方法。
【０１１１】
＜４１＞
前記洗浄剤組成物を、油汚れが付着した硬質表面、更に固体脂を含む油汚れが付着した硬質表面に接触させる、前記＜３８＞〜＜４０＞の何れかに記載の硬質表面の洗浄方法。
【０１１２】
＜４２＞
前記洗浄剤組成物を、硬質表面に接触させた後、機械力をかけずに放置する、前記＜３８＞〜＜４１＞の何れかに記載の硬質表面の洗浄方法。
【０１１３】
＜４３＞
前記洗浄剤組成物を、硬質表面の面積１００ｃｍ２に対して、０．１ｇ以上、好ましくは０．３ｇ以上、より好ましくは０．４ｇ以上、そして、５ｇ以下、好ましくは３ｇ以下、より好ましくは２ｇ以下の割合で接触させる、好ましくは塗布又は噴霧して接触させる、前記＜３８＞〜＜４２＞の何れかに記載の硬質表面の洗浄方法。
【０１１４】
＜４４＞
前記洗浄剤組成物を、硬質表面に接触させた後、１０秒以上、好ましくは２０秒以上、より好ましくは３０秒以上、更に好ましくは４０秒以上、より更に好ましくは５０秒以上、より更に好ましくは１分以上、より更に好ましくは１．５分以上、そして、６０分以下、好ましくは３０分以下、より好ましくは２０分以下、更に好ましくは１０分以下、放置する、好ましくは機械力をかけずに放置する、前記＜３８＞〜＜４３＞の何れかに記載の硬質表面の洗浄方法。
【０１１５】
＜４５＞
前記洗浄剤組成物を、１０秒以上、好ましくは２０秒以上、より好ましくは３０秒以上、更に好ましくは４０秒以上、より更に好ましくは５０秒以上、より更に好ましくは１分以上、より更に好ましくは１．５分以上、そして、６０分以下、好ましくは３０分以下、より好ましくは２０分以下、更に好ましくは１０分以下、洗浄対象である硬質表面と接触させる前記＜３８＞〜＜４３＞の何れかに記載の硬質表面の洗浄方法。
【０１１６】
＜４６＞
硬質表面を前記洗浄剤組成物中に浸漬させて接触させる、前記＜３８＞〜＜４５＞の何れかに記載の硬質表面の洗浄方法。
【０１１７】
＜４７＞
前記洗浄剤組成物を、噴霧又は塗布して、硬質表面に接触させる、前記＜３８＞〜＜４５＞の何れかに記載の硬質表面の洗浄方法。
【０１１８】
＜４８＞
前記洗浄剤組成物を、液滴状にして噴霧して、又は泡状にして塗布して、硬質表面に接触させる、前記＜３８＞〜＜４５＞の何れかに記載の硬質表面の洗浄方法。
【０１１９】
＜４９＞
前記洗浄剤組成物を、スプレイヤーを具備する容器に充填してなる硬質表面用洗浄剤物品を用いて、前記洗浄剤組成物を硬質表面に接触させる、前記＜４７＞又は＜４８＞の何れかに記載の硬質表面の洗浄方法。
【０１２０】
＜５０＞
前記硬質表面が、硬質物品の硬質表面、好ましくは食器及び台所周りの硬質物品の硬質表面、より好ましくは食器の硬質表面である、又は、
前記硬質表面が、食品製造機器、冷蔵庫、食器棚などのパイプ、部品及び排水溝、水筒、タンブラー、やかん、ポットから選ばれる硬質物品の硬質表面である、又は、
前記硬質表面が、食品、食器、調理器具の保存場所、調理台、レンジフード、シンク、ガスレンジ、電子レンジなどの食品の調理場所、及びその周辺の床や壁から選ばれる硬質物品の硬質表面である、又は、
前記硬質表面が、包丁、ピーラー、おろし金、スライサー、ジューサーの羽根、フードプロセッサーの羽根から選ばれる硬質物品の硬質表面である、前記＜３８＞〜＜４９＞の何れかに記載の硬質表面の洗浄方法。
【０１２１】
＜５１＞
硬質表面の材質が、プラスチック、金属、陶器、木、及びそれらの組み合わせである、前記＜３８＞〜＜５０＞の何れかに記載の硬質表面の洗浄方法。
【０１２２】
＜５２＞
前記洗浄剤組成物が、油除去用硬質表面用液体洗浄剤組成物である、前記＜３８＞〜＜５１＞の何れかに記載の硬質表面の洗浄方法。
【０１２３】
＜５３＞
前記＜１＞〜＜３７＞の何れかの洗浄剤組成物を、スプレイヤーを具備する容器に充填してなる硬質表面用洗浄剤物品。
【０１２４】
＜５４＞
前記スプレイヤーを具備する容器が、噴射剤を使用しない手動式スプレー装置又は噴射剤を用いるエアゾールである、好ましくは、トリガー式スプレー容器及びポンプ式スプレー容器から選ばれる噴射剤を使用しない手動式スプレー装置である、より好ましくは、内容物を液滴状又は泡状にして噴霧又は塗布することができるトリガー式スプレーである、更に好ましくは、内容物を液滴状に噴霧する機構を備えたトリガー式スプレー又は泡を形成する機構（泡形成機構）を備えたトリガー式スプレーである、前記＜５３＞に記載の硬質表面用洗浄剤物品。
【０１２５】
＜５５＞
下記一般式（ａ１）で表される、洗浄用界面活性剤。
【化６】
2017214554.tif 000007
〔式中、Ｒ１ａ、Ｒ２ａは、それぞれ独立して、１つ以上の側鎖を有する、鎖式分岐炭化水素基であり、鎖式分岐炭化水素基の総炭素数が７以上２２以下であり、側鎖を構成する炭素数の合計が３以上７以下である。Ａ１、Ａ２はそれぞれ独立に炭素数２以上４以下のアルキレン基、ｘ、ｙは平均付加モル数でありそれぞれ独立に０以上６以下である。Ｍ１は水素原子又は陽イオンである。〕
【０１２６】
＜５６＞
下記一般式（ａ１）で表される界面活性剤の、洗浄剤としての使用。
【化７】
2017214554.tif 000008
〔式中、Ｒ１ａ、Ｒ２ａは、それぞれ独立して、１つ以上の側鎖を有する、鎖式分岐炭化水素基であり、鎖式分岐炭化水素基の総炭素数が７以上２２以下であり、側鎖を構成する炭素数の合計が３以上７以下である。Ａ１、Ａ２はそれぞれ独立に炭素数２以上４以下のアルキレン基、ｘ、ｙは平均付加モル数でありそれぞれ独立に０以上６以下である。Ｍ１は水素原子又は陽イオンである。〕
【０１２７】
＜５７＞
前記＜１＞〜＜３７＞の何れかの洗浄剤組成物の、硬質表面用液体洗浄剤、好ましくは食器又は台所周りの硬質物品の硬質表面用液体洗浄剤、より好ましくは食器用液体洗浄剤としての使用。
【０１２８】
＜５８＞
前記＜１＞〜＜３７＞の何れかの洗浄剤組成物の、油除去用硬質表面用液体洗浄剤、好ましくは食器又は台所周りの硬質物品の油除去用液体洗浄剤、より好ましくは食器の油除去用液体洗浄剤としての使用。
【０１２９】
＜５９＞
前記＜１＞〜＜３７＞の何れかの洗浄剤組成物の、該組成物を希釈せずに硬質表面に接触させて、機械力をかけずに洗浄する方法に用いられる硬質表面用液体洗浄剤、好ましくは食器又は台所周りの硬質物品の硬質表面用液体洗浄剤、より好ましくは食器用液体洗浄剤としての使用。
【０１３０】
＜６０＞
前記＜１＞〜＜３７＞の何れかの洗浄剤組成物の、該組成物を希釈せずに食器、好ましくは油汚れが付着した食器、より好ましくは固体脂を含む油汚れが付着した食器に接触させる食器の洗浄方法における使用。
【実施例】
【０１３１】
下記配合成分を用いて、表１に示す洗浄剤組成物を調製し、以下の項目について評価を行った。結果を表１に示す。表１の洗浄剤組成物は、常法により調製した。即ち、適量のイオン交換水に（ａ）成分又は（ａ’）成分（（ａ）成分の比較成分）を添加し、室温（２５℃）で溶解させた後、水酸化ナトリウム及び／又は塩酸を添加してｐＨ（２５℃）を６に調整した。なお、表１中の配合成分の質量％は、全て有効分に基づく数値である。（ａ）成分、（ａ’）成分はナトリウム塩に基づく質量％を示している。
【０１３２】
＜配合成分＞
（ａ）成分の合成
（ａ）成分は市販の試薬を用いて合成した。マレイン酸（和光純薬工業株式会社製）と特定のアルコールをエステル交換反応させて前駆体を合成した。前駆体と重亜硫酸ナトリウム（和光純薬工業株式会社製）を反応させることで（ａ）成分を含む反応液を得ることができた。得られた化合物反応液を、オープンカラムクロマトグラフィーにより精製した。その純度は９９％であった。化合物の同定は核磁気共鳴装置を用いて行った。
【０１３３】
下記に示す（ａ−１）成分は以下のように合成を行った。
４つ口フラスコに、マレイン酸と、モル比で２．５等量の５−デカノール（東京化成工業株式会社製）、溶媒としてキシレン（和光純薬工業株式会社製）を３００ｍＬ、溶媒に対して０．５％のｐ−トルエンスルホン酸一水和物（和光純薬工業株式会社製）を加え、撹拌しながら１４５℃で６時間反応させた。反応液を、オープンカラムクロマトグラフィーで精製し、核磁気共鳴装置を用いて前駆体の生成を確認した。その収率は９０％であった。
４つ口フラスコに、得られた前駆体と、モル比で１．３等量の重亜硫酸ナトリウム、溶媒としてイソプロパノール（和光純薬工業株式会社製）を３００ｍＬ加え、撹拌しながら１１５℃で１８時間反応させた。反応液を、オープンカラムクロマトグラフィーで精製し、核磁気共鳴装置を用いて（ａ−１）成分であるスルホコハク酸ジ−１−ブチルヘキシルナトリウムの生成を確認した。その収率は３５％であった。
【０１３４】
下記（ａ−２）成分の合成は、上記（ａ−１）成分の合成において、アルコール原料を５−デカノールに変えて３，５，５−トリメチルヘキサン−１−オール（和光純薬工業株式会社製）を用いて合成した。
また下記（ａ−３）成分の合成は、上記（ａ−１）成分の合成において、アルコール原料を５−デカノールに変えて５−ノナノール（和光純薬工業株式会社製）を用いて合成した。
また下記（ａ−４）成分の合成は、上記（ａ−１）成分の合成において、アルコール原料を５−デカノールに変えて２,６−ジメチル−４−ヘプタノール（東京化成工業株式会社製）を用いて合成した。
また下記（ａ−５）成分の合成は、上記（ａ−１）成分の合成において、アルコール原料を５−デカノールに変えて２−プロピル−１−ペンタノール（Sigma-Aldrich社製）を用いて合成した。
【０１３５】
（ａ）成分
（ａ−１）：スルホコハク酸ジ−１−ブチルヘキシルナトリウム（一般式（ａ１）において、Ｒ１ａ、Ｒ２ａ：共に１−ブチルヘキシル基、ｘ、ｙ：共に０、Ｍ１：ナトリウムの化合物）
（ａ−２）：スルホコハク酸ジ−３，５，５−トリメチルヘキシルナトリウム（一般式（ａ１）において、Ｒ１ａ、Ｒ２ａ：共に３，５，５−トリメチルヘキシル基、ｘ、ｙ：共に０、Ｍ１：ナトリウムの化合物）
（ａ−３）：スルホコハク酸ジ−１−ブチルペンチルナトリウム（一般式（ａ１）において、Ｒ１ａ、Ｒ２ａ：共に１−ブチルペンチル基、ｘ、ｙ：共に０、Ｍ１：ナトリウムの化合物）
（ａ−４）：スルホコハク酸ジ−１−（２−メチルプロピル）−３−メチルブチルナトリウム（一般式（ａ１）において、Ｒ１ａ、Ｒ２ａ：共に１−（２−メチルプロピル）−３−メチルブチル基、ｘ、ｙ：共に０、Ｍ１：ナトリウムの化合物）
（ａ−５）：スルホコハク酸ジ−２−プロピルペンチルナトリウム（一般式（ａ１）において、Ｒ１ａ、Ｒ２ａ：共に２−プロピルペンチル基、ｘ、ｙ：共に０、Ｍ１：ナトリウムの化合物）
（ａ−１）〜（ａ−５）の各化合物の構造を以下に示す。
【０１３６】
【化８】
2017214554.tif 000009
【０１３７】
（ａ’）成分（（ａ）成分の比較成分）
（ａ’−１）：スルホコハク酸ジ−２−エチルヘキシルナトリウム（製品名「エアロールＣＴ−１Ｌ」、東邦化学工業(株)製）、一般式（ａ１）において、Ｒ１ａ、Ｒ２ａ：共に２−エチルヘキシル基、ｘ、ｙ：共に０、Ｍ１：ナトリウムの化合物
（ａ’−２）：２−エチルヘキシル硫酸ナトリウム（Sigma-Aldrich社製）
【０１３８】
＜洗浄力評価（溶液浸漬評価）＞
（１）モデル汚染基板
牛脂（シグマアルドリッチジャパン株式会社）と菜種油（キシダ化学株式会社）を９：１の質量比で混合したものを作製し、モデル汚れ（固体脂を含む汚れのモデル汚れ、以下同様）とした。３０ｍｍ（横）×８０ｍｍ（縦）×１ｍｍ（厚み）のポリプロピレン試験片（株式会社エンジニアリングテストサービス製）の質量を４桁天秤で測定した（ｐ）。前記ポリプロピレン試験片の両面に、下端から５０ｍｍの高さまでモデル汚れを、両面合わせて０．０２〜０．０４ｇとなるように均一に塗布したものを作成し、汚れピースとした。同汚れピースの質量を４桁天秤で測定した（ｑ）。
【０１３９】
（２）評価の手順
表１記載の各洗浄剤組成物５０ｇを５０ｍＬ容器（内径３５ｍｍ×高さ６８ｍｍの円柱状）に入れ、次いで汚れピース１枚を同容器内に立て掛けて前記組成物に接触させた。この時、汚れピースの汚れを付着させた部分は、容器内の前記組成物中に全て浸漬した。
【０１４０】
汚れピースを前記容器内の洗浄剤組成物に１分間浸漬後、前記汚れピースを取り出し、１分間水道水で流水すすぎをした。この時、流水すすぎの条件は、水道水の温度は２５℃、流速は約４Ｌ／ｍｉｎ、蛇口の開口部の直径は約１５ｍｍであった。開口部から５ｃｍ垂直下に位置する汚れピースに落下してくる水道水に対して汚れピースを４５°になるように持ち、その角度を固定したまま汚れピースの汚れを付着させていない上端部分で流水を受け、汚れピース上を流れる水道水で洗浄部分片面全体をすすいだ。このとき、１０秒毎に表裏を変えて交互にすすいだ。すすぎ終了後、汚れピースを乾燥させた後、４桁天秤で質量を測定した（ｒ）。以下の式で洗浄率を求めた。
洗浄率（％）＝｛（ｑ）−（ｒ）｝／｛（ｑ）−（ｐ）｝×１００
また上記と同様の方法で、汚れピースを前記容器内の洗浄剤組成物に１時間浸漬した場合の洗浄率を求めた。結果を表１に示す。
【０１４１】
【表１】
2017214554.tif 000010
【０１４２】
表１中、（ａ）成分又は（ａ'）成分の構造として、一般式（ａ１）中のＲ１ａ、Ｒ２ａにおける、炭化水素基の炭素数、主鎖の炭素数、側鎖の合計炭素数（側鎖を構成する炭素数の合計）、側鎖の数、及び分岐炭素の数をそれぞれ示す。
なお、（ａ−１）成分〜（ａ−５）成分、（ａ’−１）成分において、一般式（ａ１）中のＲ１ａ、Ｒ２ａは同一のアルキル鎖である。また（ａ’−２）成分は一般式（ａ１）で表される化合物とは異なるが、（ａ’−２）成分のアルキル鎖について上記特徴を示す。